(57)【特許請求の範囲】
【請求項１】
上部が開口されて外部の空気が引き込まれる引込口と、前記引込口を介して引き込まれた前記空気の速度が増加して形成された風を外部に排出させる排出口と、を備えるハウジング部材と、
前記引込口の下部に配置され、外部の前記空気を、前記引込口を介して前記ハウジング部材の内部に引き込ませる空気流動部材と、
前記空気流動部材によって引き込まれた前記空気を前記ハウジング部材内で流動させることにより、引き込まれた前記空気の速度を増加させて前記風を形成した後、前記風を前記排出口に向かって排出させる風案内部材と、
前記空気流動部材と連結されて前記空気流動部材を回転させる回転手段部材とを備え、
前記風案内部材は、
前記回転手段部材が挿入されて連結された風案内部貫通ホールと
吐出底面部と、
前記回転手段部材の回転軸に沿った方向において、前記吐出底面部に対して前記空気流動部材側に位置する引込高面部と、
前記回転軸を中心に当該回転軸を弧状に囲み、前記吐出底面部と前記引込高面部とを繋ぎ外側に傾斜した第１の曲面を備えた第１の曲面案内部と、
前記第１の曲面案内部の外側に位置し、前記回転軸を中心に当該回転軸を弧状に囲み外側に傾斜した第２の曲面を備えた第２の曲面案内部と、
が一体的に形成されており、
前記第１の曲面と前記第２の曲面とは、前記境界線部で境界が規定され、
前記引込高面部は、前記空気流動部材からの流入した空気を前記第１の曲面に流出し、
前記吐出底面部は、前記第１の曲面から流入した空気を、前記回転軸に直交する方向に流出し、
前記第１の曲面は、前記吐出底面部から前記引込高面部に向かうに従って、前記回転軸を中心とした周方向の空気の流れと直交する方向の幅が狭くなっており、
前記第２の曲面は、前記引込高面部から引き込まれた前記空気が、前記吐出底面部に向けて案内されながら加速されて前記風となり、前記風が集中するように、前記引込高面部から前記吐出底面部に向かうに従って前記周方向の空気の流れと直交する方向の幅が広くなっている
ヘアドライヤー。
【請求項２】
前記風が流動する経路に設けられ、風温の上昇が必要である場合、前記風温を上昇させることができる加熱部材と；
前記排出口側に設けられ、前記排出口から排出される前記風の温度を感知する温度感知部材と；
前記排出口を介して排出される前記風の排出強度調整を選択することができる風力調整選択手段と、前記排出口を介して排出される風温調整を選択することができる温度調整選択手段と、所定の時間の間に動作するように時間調整を選択することができる時間設定選択手段と、を備える機能選択部材と；
前記機能選択部材により事前に選択された値に基づいて前記空気流動部材及び前記加熱部材を制御する制御部材と；をさらに備えることを特徴とする請求項１に記載のヘアドライヤー。
【請求項３】
前記空気流動部材は、
回転軸を中心に回転する回転ボディと、
前記回転ボディの外郭に所定の間隔で離間して複数形成される回転翼部と、を備え、
前記回転ボディは、
上部中央に貫設され、前記引込口に引き込まれた前記空気の一部が流入する流入ホールと、
前記流入ホールと連通しているが、前記排出口の形成方向に設けられ、前記流入ホールを経由した前記空気の一部を排出させる排出ホールと、を備え、
前記回転翼部によって押される前記風の風量を増大させるために、前記回転翼部の最外郭面上には、前記回転翼部の最外郭面の他の部分に比べて相対的に陥没した陥没溝が形成されることを特徴とする請求項２に記載のヘアドライヤー。
【請求項４】
前記ハウジング部材の内部には、
所定の長さだけ突出して、前記風案内部材で形成された前記風が前記排出口に向かって流動できるようにするが、前記風が前記排出口の方から前記風案内部材の方に逆流して流入することを防止する逆流防止突起が形成されることを特徴とする請求項３に記載のヘアドライヤー。
【請求項５】
外部から印加される電気エネルギーによって発熱する電気発熱体と；
前記電気発熱体の上部に取り付けられ、前記電気発熱体で発熱した熱を、前記電気発熱体の上部空間に放熱させる上部放熱体と；
前記電気発熱体の下部に取り付けられ、前記電気発熱体で発熱した熱を、前記電気発熱体の下部空間に放熱させる下部放熱体と；
前記電気発熱体の両側面に配置され、前記電気発熱体と前記上部放熱体と前記下部放熱体とを前記ハウジング部材に連結させる加熱部材連結部と；さらに備え、
前記電気発熱体は、前記上部放熱体と前記下部放熱体と前記加熱部材連結部とにより形成された内部空間に配置されることにより、前記電気発熱体からの電磁波の放出を遮断することを特徴とする請求項１に記載のヘアドライヤー。
【請求項６】
前記上部放熱体は、
前記電気発熱体の上部を覆う上部放熱体ボディと、
前記上部放熱体ボディから上方に延長するが、複数個が所定の長さだけ形成された上部放熱フィンと、を備え、
前記上部放熱フィンの外郭方向の一方の側の端部には、長手方向の前記上部放熱フィンに対して所定の角度で曲げられた上部曲げ突起が形成され、前記上部曲げ突起が隣り合っている前記上部放熱フィンの一部と接触することにより、隣り合っている前記上部放熱フィン間の間隔が保たれるとともに、前記上部放熱フィンの振動が防止され、
前記下部放熱体は、
前記電気発熱体の下部を取り囲む下部放熱体ボディと、
前記下部放熱体ボディから下方に延長するが、複数個が所定の長さだけ形成された下部放熱フィンと、を備え、
前記下部放熱フィンの外郭方向の一方の側の端部には、長手方向の前記下部放熱フィンに対して所定の角度で曲げられた下部曲げ突起が形成され、前記下部曲げ突起が隣り合っている前記下部放熱フィンの一部と接触することにより、隣り合っている前記下部放熱フィン間の間隔が保たれるとともに、前記下部放熱フィンの振動が防止されることを特徴とする請求項５に記載のヘアドライヤー。
【請求項７】
前記風が流動する経路に設けられ、風温の上昇が必要である場合、前記風温を上昇させることができる加熱部材と；
前記排出口側に設けられ、前記排出口から排出される前記風の温度を感知する温度感知部材と；
前記排出口を介して排出される前記風の排出強度調整を選択することができる風力調整選択手段と、前記排出口を介して排出される風温調整を選択することができる温度調整選択手段と、所定の時間の間に動作するように時間調整を選択することができる時間設定選択手段と、を備える機能選択部材と；
前記機能選択部材により事前に選択された値に基づいて前記空気流動部材及び前記加熱部材を制御する制御部材と；をさらに備え、
前記回転手段部材は、
前記空気流動部材を回転させる回転手段と、
内部に前記回転手段が挿入されて前記回転手段を保護する回転手段ケースと、を備え、
前記制御部材は、
制御部と、
内部の空き空間に前記制御部を配置して前記制御部を保護する制御部材ハウジングと、を備え、
前記回転手段ケース及び前記制御部材ハウジングの少なくともいずれか一方は、パーマロイ材質からなるので、電磁波を遮断することができることを特徴とする請求項１に記載のヘアドライヤー。
【請求項８】
前記回転手段のケース及び前記制御部材ハウジングの少なくともいずれか一方は、その内部に騒音防止体を備え、前記回転手段または前記制御部から発生する騒音の外部への伝達を防止することができることを特徴とする請求項７に記載のヘアドライヤー。
【請求項９】
前記ヘアドライヤーは、突起フード部材を備え、
前記突起フード部材は、
前記排出口の先端部に取り付けられ、その内部が貫通して前記ハウジング部材の内部と連通している突起フードボディと、
前記突起フードボディの前面を覆い、複数のホールが互いに離間して形成された風排出ホールを備える突起フードカバーと、
前記突起フードカバーの前面に所定の長さだけ形成される第１ヘアピンと、
前記突起フードカバーの前面に所定の長さだけ形成され、前記第１ヘアピンに比べてその長さが相対的に短い第２ヘアピンと、を備え、
前記第１ヘアピンが、前記ヘアドライヤーを適用する人体の一部と接触することにより、前記人体の一部と前記突起フードカバーとの間が所定の間隔で離間することができ、前記第２ヘアピンを用いて、前記人体の一部に形成された毛髪を梳かすことができることを特徴とする請求項２に記載のヘアドライヤー。
【請求項１０】
前記ヘアドライヤーは、フックフード部材を備え、
前記フックフード部材は、
排出口の先端部に取り付けられ、その内部が貫通して前記ハウジング部材の内部と連通しているフックフードボディと、
前記フックフードボディの前面の一部に所定の長さだけ形成され、一方の方向に傾斜している上部バーと、
前記上部バーに比べてその角度が相対的に大きな傾斜を有するように、前記上部バーの外郭先端から一方の方向に曲げられている上部フックと、
前記フックフードボディの前面のうち前記上部バーと離間した箇所に所定の長さだけ形成され、前記上部バーの傾斜方向と反対方向に傾斜している下部バーと、
前記下部バーの外郭先端から傾斜しており、前記上部フックと同じ方向に曲げられている下部フックと、を備え、
前記上部バー及び前記下部バーにより、前記ヘアドライヤーを適用する人体の一部に形成された毛髪を梳かすことができ、前記上部フック及び前記下部フックに、前記毛髪の一部が引っ掛かり、前記毛髪が所定高さの上空へ持ち上げられることにより、前記毛髪のもつれが防止されるとともに、前記毛髪と前記人体の一部及び前記毛髪が形成された部分のうち少なくともいずれか１つを乾燥させることができることを特徴とする請求項２に記載のヘアドライヤー。
【請求項１１】
前記風案内部材は、前記風案内部材の下部に環状に形成された第１の突部を備え、
前記回転手段部材は、前記回転手段部材の外郭に環状に形成され、前記第１の突部に対応するようになっている第２突部を備え、
前記第１突部と前記第２突部との間に配置され、回転手段の動作に応じて弾性力の蓄積または復元が繰り返される弾性部材を形成することにより、
前記回転手段の動作により発生する振動及び騒音が前記弾性部材の弾性力によって消滅し、これにより前記回転手段の振動及び騒音が前記風案内部材に伝わることを防止することを特徴とする請求項４に記載のヘアドライヤー。
【発明の詳細な説明】
【技術分野】
【０００１】
本発明は、ヘアドライヤー及びそれに適用される電磁波遮断加熱部材に関する。
【背景技術】
【０００２】
ヘアドライヤーは、濡れた頭皮の毛髪などを乾燥させる機器であって、外部からの電源が印加されると、外部の空気を内部に引き込み、その内部で風を形成した後、外部に風を排出するが、内部に設けられたコイルヒータの動作の有無に応じて冷風または熱風を排出する。
【０００３】
一般に、前記ヘアドライヤーは、その内部に送風流路が形成されたケースと、外部の空気を前記ケースの内部に引き込んでその内部で風を形成し、前記風を外部に排出させる送風ファンと、前記送風ファンを回転させるモータユニットと、熱風が必要な場合には、前記送風流路に設けられ、前記風に熱を伝達することにより、前記風が暖かくなるようにするヒータと、で構成される。
【０００４】
濡れた毛髪を乾かすとき、外部の空気が引き込まれたが、ケース内部に別途の風案内面が形成されていないため、引き込まれた前記空気が分散されてしまい、これにより引き込み空気に対する排出風の効率が高くなかった。このため、外側の毛髪は乾燥しやすいが、人体に隣接する部分、例えば、頭皮まで乾燥させるためには、ヘアドライヤーを長時間使用しなければならないという問題があった。また、ヘアドライヤーを長時間使用するため、毛髪の一部が過度に乾燥してしまい、その結果、毛髪が割れるというダメージが発生した。
【０００５】
また、ヘアドライヤーの内部で使用されるヒータは、カバーがなく露出した状態で設けられたニッケルクロム線に電源を印加し、前記ニッケルクロム線の電気抵抗を増やして熱を生成し、その生成した熱を前記風に伝えて熱風を形成するようになっている。しかしながら、前述したような発熱方式では、電磁波及び発生した微細粉塵が放出され、人体の一部及び前記人体の一部に形成された毛髪に到達するので、人体に有害であるという問題があり、常に議論になっていた。
【０００６】
かかる問題を解決するために、高効率、電磁波遮断などのヘアドライヤーの性能を向上させるための開発が着実に進んでおり、例えば、韓国登録特許第１０−１１５５１３５号（登録日：２０１２年６月４日、発明の名称：ＬＥＤ着脱式ヘアドライヤー）、韓国登録特許第１０−０９９８３３３号（登録日：２０１０年１１月２９日、発明の名称：ヘアドライヤー）及び韓国登録実用新案第２０−０２２４６５３号（登録日：２００１年３月９日、発明の名称：電磁波遮断ヘアドライヤー）などの特許文献が挙げられる。
【０００７】
しかし、下記の特許文献を含む従来の性能改善したヘアドライヤーによれば、近赤外線を照射するための構成が複雑でありながらも、濡れた毛髪が塊になっている場合には、前記近赤外線が頭皮に隣接する部分まで照射されておらず、特に毛髪が比較的長い女性の毛髪を乾燥させるとき、毛髪の乾燥にかかる全体時間にはそれほどの違いはないという欠点があった。
【０００８】
また、ヘアドライヤーの内部から放射される有害電磁波を遮断するためにヘアドライヤーの内部に遮蔽シートを貼り付けたが、このヘアドライヤーを長時間使用すると、電磁波遮断性能が低下するという欠点があった。
【発明の概要】
【発明が解決しようとする課題】
【０００９】
本発明は、構成品を追加することなく、ヘアドライヤーの風力（風の強さ）及び風量性能を改善することにより、短時間で毛髪を乾燥させることができるヘアドライヤーを提供することをその目的とする。
【００１０】
本発明の他の目的は、ヘアドライヤーに適用され、電磁波の放出を遮断することができる加熱部材を提供することである。
【課題を解決するための手段】
【００１１】
本発明の一側面によるヘアドライヤーは、上部が開口されて外部の空気が引き込まれる引込口と、前記引込口を介して引き込まれた前記空気の速度が増加して形成された風を外部に排出させる排出口と、を備えるハウジング部材と、前記引込口の下部に配置され、外部の前記空気を、前記引込口を介して前記ハウジング部材の内部に引き込ませる空気流動部材と、前記空気流動部材によって引き込まれた前記空気を前記ハウジング部材内で流動させることにより、引き込まれた前記空気の速度を増加させて前記風を形成した後、前記風を前記排出口に向かって排出させる風案内部材と、前記空気流動部材と連結されて前記空気流動部材を回転させる回転手段部材とを備え、前記風案内部材は、前記回転手段部材が挿入されて連結された風案内部貫通ホールと吐出底面部と、前記回転手段部材の回転軸に沿った方向において、前記吐出底面部に対して前記空気流動部材側に位置する引込高面部と、前記回転軸を中心に当該回転軸を弧状に囲み、前記吐出底面部と前記引込高面部とを繋ぎ外側に傾斜した第１の曲面を備えた第１の曲面案内部と、前記第１の曲面案内部の外側に位置し、前記回転軸を中心に当該回転軸を弧状に囲み外側に傾斜した第２の曲面を備えた第２の曲面案内部と、が一体的に形成されており、前記第１の曲面と前記第２の曲面とは、前記境界線部で境界が規定され、前記引込高面部は、前記空気流動部材からの流入した空気を前記第１の曲面に流出し、前記吐出底面部は、前記第１の曲面から流入した空気を、前記回転軸に直交する方向に流出し、前記第１の曲面は、前記吐出底面部から前記引込高面部に向かうに従って、前記回転軸を中心とした周方向の空気の流れと直交する方向の幅が狭くなっており、前記第２の曲面は、前記引込高面部から引き込まれた前記空気が、前記吐出底面部に向けて案内されながら加速されて前記風となり、前記風が集中するように、前記引込高面部から前記吐出底面部に向かうに従って前記周方向の空気の流れと直交する方向の幅が広くなっている。
【発明の効果】
【００１３】
本発明の一側面によるヘアドライヤーによれば、前記ヘアドライヤーは、ハウジング部材と、空気流動部材と、風案内部材と、回転手段部材とを備え、外部から引き込まれた空気が、分散されずに集中して所定の方向に案内されながら加速されて風となり、その後、外部に排出されることにより、前記ヘアドライヤーの風力及び風量性能が改善されて、短時間で毛髪を乾燥させることができるという効果がある。
【００１４】
本発明の一側面によるヘアドライヤーに適用された加熱部材によれば、前記加熱部材は、電気発熱体と、上部放熱体と、下部放熱体と、加熱部材連結部とを備え、前記電気発熱体を、前記上部放熱体と前記下部放熱体と前記加熱部材連結部とにより形成された内部空間に配置することにより、前記電気発熱体からの微細粉塵の発生及び電磁波の放出を遮断することができるという効果がある。
【図面の簡単な説明】
【００１５】
【図１】本発明の第１実施形態に係るヘアドライヤーの斜視図である。
【００１６】
【図２】本発明の第１実施形態に係るヘアドライヤーの内部構成品が見える斜視図である。
【００１７】
【図３】本発明の第１実施形態に係るヘアドライヤーの分解図である。
【００１８】
【図４】本発明の第１実施形態に係るヘアドライヤーを構成する空気流動部材、風案内部材及び回転手段部材を示す斜視図である。
【００１９】
【図５】図３に示す空気の流動部材、風案内部材及び回転手段部材の分解図である。
【００２０】
【図６】図３に示す空気の流動部材、風案内部材及び回転手段部材の背面図である。
【００２１】
【図７】図４に示す空気流動部材及び風案内部材を上から見た平面図である。
【００２２】
【図８】本発明の第１実施形態に係るヘアドライヤーを構成する回転手段部材の分解図である。
【００２３】
【図９】本発明の第１実施形態に係るヘアドライヤーを構成する加熱部材を示す斜視図である。
【００２４】
【図１０】図９に示す加熱部材の分解図である。
【００２５】
【図１１】図１０に示すＡ部分の拡大図である。
【００２６】
【図１２】本発明の第２実施形態に係るヘアドライヤーを構成する突起フード部材を示す正面図である。
【００２７】
【図１３】本発明の第２実施形態に係るヘアドライヤーを構成する突起フード部材を下から上へ見た斜視図である。
【００２８】
【図１４】本発明の第３の実施形態に係るヘアドライヤーを構成するフックフード部材を示す正面図である。
【００２９】
【図１５】本発明の第３の実施形態に係るヘアドライヤーを構成するフックフード部材を下から上へ見た斜視図である。
【００３０】
【図１６】本発明の第４の実施形態に係るヘアドライヤーを構成する回転手段部材のうちの騒音遮断部材を正面から見た部分断面図である。
【発明を実施するための最良の形態】
【００３１】
以下、図面を参照して、本発明の一実施形態に係るヘアドライヤーについて説明する。
【００３２】
図１は、本発明の第１実施形態に係るヘアドライヤーの斜視図であり、図２は、本発明の第１実施形態に係るヘアドライヤーの内部構成品が見える斜視図であり、図３は、本発明の第１実施形態に係るヘアドライヤーの分解図であり、図４は、本発明の第１実施形態に係るヘアドライヤーを構成する空気流動部材と、風案内部材と、回転手段部材とを示す斜視図であり、図５は、図３に示す空気の流動部材と、風案内部材と、回転手段部材との分解図であり、図６は、図３に示す空気の流動部材と、風案内部材と、回転手段部材との背面図であり、図７は、図４に示す空気流動部材と、風案内部材とを上から見た平面図であり、図８は、本発明の第１実施形態に係るヘアドライヤーを構成する回転手段部材の分解図であり、図９は、本発明の第１実施形態に係るヘアドライヤーを構成する加熱部材を示す斜視図であり、図１０は、図９に示す加熱部材の分解図であり、図１１は、図１０に示すＡ部分の拡大図である。
【００３３】
図１〜図１１に示すように、ヘアドライヤー１００は、毛髪を乾燥させるものであり、ハウジング部材１１１、１１５と、空気流動部材１２０と、風案内部材１６０と、回転手段部材１４０とを備えている。
【００３４】
ここで、前記毛髪とは人体の部位から皮膚表面に突出した毛のことであり、本実施形態における前記ヘアドライヤー１００の場合、毛髪は、あらゆる毛髪の中でヒトの髪の毛（ヒトの頭部に生える毛である頭髪）を指すが、これは単に例示に過ぎないものであり、前記ヒトの髪の毛に限定されるものではない。
【００３５】
本実施形態においては、前記ヘアドライヤー１００は、加熱部材１５０と、温度感知部材１０５と、機能選択部材１７３と、制御部材１７６と、をさらに含む。
【００３６】
前記ハウジング部材１１１、１１５は、上部が開口されて外部の空気が引き込まれる引込口１１４、１１７と、前記引込口１１４、１１７を介して引き込まれた前記空気の速度が増加して形成された風を外部に排出させる排出口１８２、１８４と、を備えている。
【００３７】
本実施形態においては、前記ハウジング部材１１１、１１５は、逆流防止突起１８１、１８３をさらに含む。
【００３８】
具体的には、前記ハウジング部材１１１、１１５は、プラスチックなどの合成樹脂材が適用され、第１ケース１１１と第２ケース１１５とに分離された形で形成され、前記第１ケース１１１と前記第２ケース１１５とが組み立てなどにより連結されると、内部に空き空間が形成され、前述のように形成された内部の空間に構成品を収容できるようになる。
【００３９】
前記第１ケース１１１は、使用者が手に持って位置及び方向を調整できるように所定の長さだけ形成された第１ハンドル部１１２と、その内部に前記風の流路を形成する第１ボディ１１３と、前記第１ボディ１１３の一方の側の端部の一部が開口されてなる第１引込形成ホール１１４と、前記第１ボディ１１３の他方の側の端部の一部が開口されてなる第１排出形成ホール１８２と、を備えている。
【００４０】
前記第２ケース１１５は、前記使用者が手に持って位置及び方向を調整できるように所定の長さだけ形成された第２ハンドル部１１６と、その内部に前記風の流路を形成する第２ボディ１１８と、前記第１ボディ１１３の一方の側の端部の一部が開口されてなる第２引込形成ホール１１７と、前記第１ボディ１１３の他方の側の端部の一部が開口されてなる第２排出形成ホール１８４と、を備えている。
【００４１】
前記第１ケース１１１と前記第２ケース１１５とを組み立てると、前記第１引込形成ホール１１４の開口の一部と前記第２引込形成ホール１１７の開口の一部とを、対応して連結することで、円形状の引込用開口部を形成し、このように形成された前記引込用開口部は、前記引込口１１４、１１７となる。
【００４２】
また、前記第１ケース１１１と前記第２ケース１１５とを組み立てると、前記第１排出形成ホール１８２の開口の一部と前記第２排出形成ホール１８４の開口の一部とを、対応して連結することで、所定の形状の排出用開口部を形成し、このように形成された排気用開口部は、前記排出口１８２、１８４となる。
【００４３】
本実施形態においては、前記引込口１１４、１１７と前記排出口１８２、１８４とは、互いに直角をなしている。すると、垂直方向に下降して引き込まれた前記空気は、前記ハウジング部材１１１、１１５の内部で回転形の風となるが、前述したように回転による回転力が加えられて形成された前記風は、水平方向への引き込み後に排出される通常のヘアドライヤーの風に比べて、その風力が相対的に強い。
【００４４】
また、前記引込口１１４、１１７は、内部が空いている円形状を有し、前記引込口１１４、１１７の内面は、前記風案内部材１６０の外郭と密着できるように、前記風案内部材１６０の外郭形状と対応する形状を有し、その結果、前記風案内部材１６０によって形成された前記風が、前記引込口１１４、１１７と前記風案内部材１６０との間の空間に抜けていくのを防ぐことができる。
【００４５】
また、前記引込口１１４、１１７は、多量の前記空気を引き込むために、前記ハウジング部材１１１、１１５の他の構成品に比べて相対的に大きく、前記引込口１１４、１１７の下部に形成される前記第１ハンドル部１１２及び第２ハンドル部１１６は、前記使用者が手に持ちやすくするために、前記引込口１１４、１１７に比べて相対的に小さく且つ長くする。
【００４６】
図中の符号１０は、外部の電源と接続されて前記ヘアドライヤー１００に電気を供給する電源ケーブルであり、符号１０２は、前記空気が前記ヘアドライヤー１００の内部に引き込まれるときに、埃などの異物が同時に引き込まれるのを防止するために網などの形を持ち、前記異物をフィルタリングする異物防止体である。
【００４７】
また、符号１０１は、前記ハウジング部材１１１、１１５の前記排出口１８２、１８４の先端部に連結され、前記排出口１８２、１８４を介して排出される前記風が所定の位置に集中して排出されるように、前記風を集中させ、前記風の経路を形成するフード部材である。
【００４８】
本実施形態においては、前記第１ハンドル部１１２と第１ボディ１１３及び第２ハンドル部１１６と第２ボディ１１８は、一体化されているが、保管時にスペースを最小限に抑えるために２つの構成品に分離された状態で折り畳まれる折り畳み型に形成可能であることはもちろんである。
【００４９】
前記逆流防止突起１８１、１８３は、前記ハウジング部材１１１、１１５の内部に所定長さだけ突出しており、前記風案内部材１６０で形成された前記風が前記排出口１８２、１８４に向かって流動できるようにするが、前記風が前記排出口１８２、１８４の方から前記風案内部材１６０の方に逆流して流入することを防止する。
【００５０】
具体的には、前記逆流防止突起１８１、１８３は、前記第１ボディ１１３において前記空気流動部材１２０に相対的に近くに配置され、前記第１ボディ１１３の上面から垂直方向に突出するが、第１ケース１１１の底面から所定間隔離間した位置（高さ）まで延長された第１逆流防止突起１８１と、前記第２ボディ１１８において前記空気流動部材１２０に相対的に近くに配置され、前記第２ボディ１１８の上面から垂直方向に突出するが、第２ケース１１５の底面から所定間隔離間した位置（高さ）まで延長された第２逆流防止突起１８３と、を備えている。
【００５１】
前記空気は前記風案内部材１６０を通って増速されて前記風となり、前記風が前記風案内部材１６０を外れると、前記風は増速により前記第１ボディ１１３及び前記第２ボディ１１８の内部に分散され、分散された前記風は、前記第１ボディ１１３及び前記第２ボディ１１８の内壁に衝突し、その後、逆流しながら前記風案内部材１６０に再流入することがある。
【００５２】
前記第１逆流防止突起１８１及び前記第２逆流防止突起１８３は、前記第１ケース１１１及び前記第２ケース１１５の内部に壁を形成することにより、前記風が前記風案内部材１６０に逆流して再流入することを防止することができる。
【００５３】
前記空気流動部材１２０は、前記引込口１１４、１１７の下部に配置され、外部の前記空気を、前記引込口１１４、１１７を介して前記ハウジング部材１１１、１１５の内部に引き込ませる。
【００５４】
具体的には、前記空気流動部材１２０は、回転軸を中心に回転する回転ボディ１２１と、前記回転ボディ１２１の外郭に所定の間隔で離間して複数形成される回転翼部１２２と、を備えている。
【００５５】
前記回転ボディ１２１は、内部が空いている丸い円柱状を有し、その内部には後述する前記回転手段部材１４０が挿入される。前記回転翼部１２２は、前記回転ボディ１２１の外郭に所定面積のプレートが放射状に形成され、その外郭面が曲面を有する。前記回転ボディ１２１及び前記回転翼部１２２は、前記回転手段部材１４０により回転することにより、外部の前記空気を前記ハウジング部材１１１、１１５の内部に引き込ませる。
【００５６】
また、前記回転ボディ１２１は、上部中央に貫設され、前記引込口に引き込まれた前記空気の一部が流入する流入ホール１２３と、前記流入ホール１２３と連通しているが、前記排出口１８２、１８４の形成方向に設けられ、前記流入ホール１２３を経由した前記空気の一部を排出させる排出ホール１２４と、を備えている。
【００５７】
具体的には、図４及び図５に示すように、前記流入ホール１２３は、前記回転ボディ１２１の中央に垂直方向に所定の深さまで貫設され、前記排出ホール１２４は、前記流入ホール１２３と直角方向に曲げられた状態で前記流入ホール１２３と連通している。前記排出ホール１２４は、前記排出口１８２、１８４の方向と同じ方向に形成される。
【００５８】
前記流入ホール１２３及び前記排出ホール１２４の直径を、前記空気流動部材１２０の大きさに比べて相対的に小さくすることにより、前記流入ホール１２３の内部に引き込まれた前記空気の一部が排気ホール１２４に排出される際には渦流空気が形成され、前記渦流空気が、後述する前記風案内部材１６０によって形成された前記風を後ろから押すことにより、前記風速が増加し、それによって前記空気流動部材１２０の負荷を削減するとともに、前記ヘアドライヤー１００の効率を向上させることができる。
【００５９】
また、前記回転翼部１２２によって押される前記風の風量を増大させるために、前記回転翼部１２２の最外郭面上には、前記回転翼部１２２の最外郭面の他の部分に比べて相対的に陥没した陥没溝１２５が形成される。
【００６０】
具体的には、通常のタービンなどの回転翼とは異なり、前記回転翼部１２２は、最外郭の略中央部に前記陥没溝１２５が形成されることにより、前記回転翼部１２２の強度が増加し、それによって前記風を押すときに強固に支えることができ、しかも前記回転翼部１２２の回転時に発生する振動及び騒音を低減することができる。
【００６１】
前記風案内部材１６０は、前記風案内部材１６０の底面のうち、前記空気流動部材１２０と相対的に近接している引込高面部１６２と、前記引込高面部１６２からその高さが徐々に低くなる形で連結され、前記空気流動部材１２０から徐々に遠ざかる吐出底面部１６３と、引き込まれた前記空気が前記引込高面部１６２から前記吐出底面部１６３へ案内されながら加速されて前記風となり、前記風が集中するように、前記引込高面部１６２の外郭と前記吐出底面部１６３の外郭とを曲面形状で繋げる曲面案内部１６１と、を備えている。
【００６２】
図７に示すように、前記引込高面部１６２と前記吐出底面部１６３との間の幅を、前記風案内部材１６０の最大幅の直径に比べて相対的に小さくすることにより、前記風の形成後、前記風案内部材１６０の外部に排出されるまで前記風が分散されないようにする。
【００６３】
また、図７に示す方向を基準として、前記引込高面部１６２は左側に配置され、前記吐出底面部１６３は右側に配置され、前記引込高面部１６２の高さに比べて前記吐出底面部１６３の高さが徐々に低くなることで、その内面はねじの斜面のように傾斜状になる。
【００６４】
前述したように形成すると、前記引込高面部１６２から前記吐出底面部１６３に行くほど、前記空気流動部材１２０と前記引込高面部１６２との間に形成される空間において、前記空気流動部材１２０と前記吐出底面部１６３との間に形成される空間が徐々に大きくなり、その前記空気がその空間で回転しつつ加速されて前記風となり、前記風が前記引込高面部１６２から前記吐出底面部１６３に行くほど徐々に集まって風量が増加し、最終的に前記吐出底面部１６３では、前記風量が最大になった状態で外部に排出され、これにより前記ヘアドライヤー１００の風量が増大する。
【００６５】
前記曲面案内部１６１は、回転する前記風が分散されないように、前記引込高面部１６２及び前記吐出底面部１６３の曲面に沿って所定高さの側壁で形成され、前記風案内部材１６０は全体的にボウル形状を有する。
【００６６】
符号１６４は、後述する前記回転手段部材１４０が挿入され、前記空気流動部材１２０と連結されるように、前記曲面案内部１６１の中央に円形に貫設された風案内部貫通ホールである。
【００６７】
符号１６５は、前記回転手段部材１４０が連結され、前記回転手段部材１４０及び前記風案内部材１６０が、両方とも、前記ハウジング部材１１１、１１５に連結されて固定されるのに役割を果たす前記風案内部固定手段である。
【００６８】
符号１６６は、集められた前記風が前記吐出底面部１６３から排出されるとき、前記風の一部が渦流により再び前記引込高面部１６２に移動することを防止するために、前記引込高面部１６２の下部に形成された逆流防止壁面体である。
【００６９】
また、本実施形態においては、前記風案内部材１６０は、前記引込高面部１６２から前記吐出底面部１６３に連結される内面と前記曲面案内部１６１とが連結される境界線部１６７をさらに備えている。
【００７０】
前記引込高面部１６２と前記吐出底面部１６３とは、前記風案内部貫通孔１６４の中心を基準に連結された曲面形状で形成されるが、前記引込高面部１６２から前記吐出底面部１６３に行くほどその幅が相対的に徐々に狭くなっていく。
【００７１】
前記曲面案内部１６１は、前記風案内部貫通孔１６４の中心を基準に、前記引込高面部１６２と前記吐出底面部１６３の外郭とを取り囲む曲面形状で形成され、前記引込高面部１６２と連結された部分から前記吐出底面部１６３と連結された部分に行くほどその曲面が相対的に徐々に広くなっていく。
【００７２】
すると、前記境界線部１６７は、前記風案内部貫通孔１６４の中心を基準に回転する形で形成され、前記引込高面部１６２から前記吐出底面部１６３に行くほど徐々に前記風案内部貫通孔１６４に近接する形となり、前記境界線部１６７の先端部は、前記吐出底面部１６３の吐出方向と一致するように形成される。
【００７３】
前述したように形成されると、前記引込高面部１６２の方では、前記境界線部１６７と前記引込高面部１６２との間の空間が相対的に広くなり、相対的に多量の前記空気を引き込むことができ、前記吐出底面部１６３の方では、前記境界面と前記吐出底面部１６２との間の空間が相対的に狭くなり、前記空気が加速されて前記風となるとき、前記風速が相対的に増加する。
【００７４】
また、前記吐出底面部１６３の吐出方向及び前記境界線部１６７の先端部は、両方とも、前記排出口１８２、１８４の方向と同じ方向を有することにより、加速された前記風が前記排出口１８２、１８４に向かってスムーズに移動できるように、前記境界部１６７が前記風を誘導することができる。
【００７５】
また、前記風案内部材１６０が前記空気流動部材１２０の下部に配置され、前記風案内部材１６０と前記空気流動部材１２０との間の空間において前記加速された風が形成されることにより、通常の送風ファンの側面のスペースにおいて風が形成される従来のヘアドライヤーに比べて、風を形成する空間をコンパクト化しながらも排出風量を増大させることができる。
【００７６】
本実施形態においては、前記空気流動部材１２０及び前記風案内部材１６０を前記ヘアドライヤー１００に適用した一例について説明したが、これは単に例示に過ぎないものであり、空気清浄機、加湿器及び換気扇などにも使用できることはもちろんである。
【００７７】
前記回転手段部材１４０は、前記空気流動部材１２０と連結されて前記空気流動部材１２０を回転させるものであり、前記空気流動部材１２０を回転させる回転手段１４１と、内部に前記回転手段１４１が挿入されて前記回転手段１４１を保護する回転手段ケース１４３と、を備えている。
【００７８】
本実施形態においては、前記回転手段部材１４０は、前記回転手段ケース１４３と前記回転手段１４１との間に回転手段騒音防止体１４２をさらに備えている。
【００７９】
前記回転手段ケース１４３は、パーマロイ材質を適用したものであり、前記回転手段１４１の電磁波の外部への放出を防止する。
【００８０】
ここでは、前記パーマロイは、ニッケルと鉄の合金で透磁率が非常に高いので、吸収損失を増加させ、前記吸収損失の増加に伴い前記電磁波の放出を遮蔽することができる。
【００８１】
前記回転手段１４１は、前記空気流動部材１２０と直接連結されて前記空気流動部材１２０を回転させるものであり、電気モータなどが挙げられる。
【００８２】
前記回転手段用騒音防止体１４２は、アルミニウム及びステンレス鋼などの金属材からなり、所定面積のプレート状を有し、前記回転手段１４１の円周方向に沿って前記回転手段１４１を取り囲むものであり、前記回転手段１４１が回転しながら発生する騒音の外部への伝達を防止することができる。
【００８３】
前記加熱部材１５０は、前記風が流動する経路に設けられ、前記風温の上昇が必要である場合、前記風温を上昇させることができるものであり、前記加熱部材１５０により前記風に熱が伝わると熱風となる。
【００８４】
具体的には、前記加熱部材１５０は、外部から印加される電気エネルギーによって発熱する電気発熱体１５１と、前記電気発熱体１５１の上部に取り付けられ、前記電気発熱体１５１で発熱した熱を、前記電気発熱体１５１の上部空間に放熱させる上部放熱体１４５と、前記電気発熱体１５１の下部に取り付けられ、前記電気発熱体１５１で発熱した熱を、前記電気発熱体１５１の下部空間に放熱させる下部放熱体１５５と、前記電気発熱体１５１の両側面に配置され、前記電気発熱体１５１と前記上部放熱体１４５と前記下部放熱体１５５とを前記ハウジング部材１１１、１１５に連結させる加熱部材連結部１５２と、を備えている。
【００８５】
前記電気発熱体１５１は、外部から供給された電源によって熱が発生するものであり、電気ヒータであるＰＴＣヒータなどが挙げられ、前記ＰＴＣヒータを適用することにより、前記電気発熱体１５１での微細粉塵の発生を遮断することができる。
【００８６】
符号１８５は、外部からの前記電源が供給されるように連結される電源連結線である。
【００８７】
前記上部放熱体１４５は、前記電気発熱体１５１の上部を覆う上部放熱体ボディ１４６と、前記上部放熱体ボディ１４５から上方に延長するが、複数個が垂直方向に沿って所定の長さだけ形成された上部放熱フィン１４７と、を備えている。
【００８８】
また、前記上部放熱フィン１４７の外郭方向の一方の側の端部には、長手方向の前記上部放熱フィン１４７に対して所定の角度で曲げられた上部曲げ突起１４８が形成され、前記上部曲げ突起１４８が隣り合っている前記上部放熱フィン１４７の一部と接触することにより、隣り合っている前記上部放熱フィン１４７間の間隔が保たれるとともに、前記上部放熱フィン１４７の剛性が増加して前記上部放熱フィン１４７の振動が防止される。
【００８９】
前記下部放熱体１５５は、前記電気発熱体１５１の下部を取り囲む下部放熱体ボディ１５６と、前記下部放熱体ボディ１５６から下方に延長するが、複数個が垂直方向に沿って所定の長さだけ形成された下部放熱フィン１５７と、を備えている。
【００９０】
また、前記下部放熱フィン１５７の外郭方向の一方の側の端部には、長手方向の前記下部放熱フィン１５７に対して所定の角度で曲げられた下部曲げ突起１５８が形成され、前記下部曲げ突起１５８が隣り合っている前記下部放熱フィン１５７の一部と接触することにより、隣り合っている前記下部放熱フィン１５７間の間隔が保たれるとともに、前記下部放熱フィン１５７の剛性が増加して前記下部放熱フィン１５７の振動が防止される。
【００９１】
前記加熱部材連結部１５２は、前記電気発熱体１５１の両側面において前記上部放熱体１４５及び前記下部放熱体１５５と連結されて前記電気発熱体１５１の両側面を塞ぐとともに、前記電気発熱体１５１と上部放熱体１４５と前記下部放熱体１５５とを前記ハウジング部材１１１、１１５に連結させる。
【００９２】
具体的には、前記加熱部材連結部１５２は、前記風の経路方向に沿って所定の長さだけ形成された連結用突起１８６が互いに離間した状態で複数形成されている。前記連結用突起１８６は、前記ハウジング部材１１１、１１５の内面に前記連結用突起１８６と対応する形状を有する連結用溝（図示せず）に挿入されることで前記ハウジング部材１１１、１１５に固定される。
【００９３】
前記電気発熱体１５１は、従来の、電気抵抗の大きいニクロム線などを用いたコイル状の発熱体を使用したものに比べて相対的に電磁波の放出を遮断することができ、さらに前記電気発熱体１５１は、前記上部放熱体１４５と前記下部放熱体１５５と前記加熱部材連結部１５２とにより形成された内部空間に取り囲まれて配置されることで、前記電気発熱体１５１からの電磁波の放出を二重に遮断することができる。
【００９４】
また、前記電気発熱体１５１は、前記電気発熱体１５１が前記上部放熱体１４５と前記下部放熱体１５５と前記加熱部材連結部１５２により取り囲まれることにより、従来の、ニクロム線などを用いたコイル状の発熱体から発生する微細粉塵の排出をも二重に防止することができる。
【００９５】
前記温度感知部材１０５は、前記排出口１８２、１８４側に設けられ、前記排出口１８２、１８４から排出される前記風の温度を感知するものであり、本実施形態における前記温度感知部材１０５は、前記ハウジング部材１１１、１１５の内面に接触した状態で形成されており、前記加熱部材１５０を経由した前記風が前記排出口１８２、１８４から排出される直前の上空で前記風温を感知することができる。
【００９６】
前記機能選択部材１７３は、前記排出口１８２、１８４に介して排出される前記風の排出強度調整を選択することができる風力調整選択手段と、前記排出口１８２、１８４を介して排出される前記風温調整を選択することができる温度調整選択手段と、所定の時間の間に動作するように時間調整を選択することができる時間設定選択手段と、を備え、前記風力調整選択手段、前記温度調整選択手段及び前記時間設定選択手段は、ボタン１８７で形成されている。
【００９７】
前記使用者が前記風力調整選択手段を用いて任意の風力を選択すると、後述する前記制御部材１７６により前記回転手段部材１４０に指令が伝達され、前記指令に基づいて前記回転手段部材１４０の回転速度が調整されることにより、前記風力が調整されることになる。
【００９８】
また、前記使用者が前記温度調整選択手段を用いて任意の温度を選択すると、前記制御部材１７６により前記加熱部材１５０に指令が伝達され、前記指令に基づいて前記加熱部材１５０の発熱量が調整されることにより、前記排出口１８２、１８４を介して排出される前記風の温度が調整されることになる。
【００９９】
また、前記使用者が前記時間設定選択手段を用いて任意の時間を設定すると、前記制御部材１７６によりその指令が伝達され、前記指令に基づいて前記制御部材１７６が設定時間経過後に電源を遮断することにより、前記ヘアドライヤー１００は、設定時間の間に動作することができるようになる。
【０１００】
前記機能選択部材１７３の構成要素である前記ボタン１８７は、前記ハウジング部材１１１、１１５の外部に突出したプッシュ式ボタンまたはタッチボタンなどで形成されてもよい。
【０１０１】
また、前記機能選択部材１７３は、前記使用者が前記ボタン１８７により設定された内容を簡単に確認できるように、設定内容が表示されるディスプレイ部１８８をさらに備える。
【０１０２】
前記制御部材１７６は、前記機能選択部材１７３により事前に選択された値に基づいて前記空気流動部材１２０及び前記加熱部材１５０を制御する。
【０１０３】
具体的には、前記制御部材１７６は、電子部品で構成された制御部１７７と、内部の空き空間に前記制御部１７７を配置して前記制御部１７７を保護する制御部材ハウジング１７８と、を備えている。
【０１０４】
前記制御部材ハウジング１７８は、前記パーマロイ材質からなるので、前記制御部１７７の電磁波の前記制御部材ハウジング１７８の外部への放出を防止する。
【０１０５】
前記制御部材ハウジング１７８の内側面には、アルミニウム及びステンレス鋼などの金属材からなり、所定面積のプレート状に形成されて前記制御部材ハウジング１７８の内面を取り囲むハウジング用騒音防止体１７９をさらに備え、前記制御部１７７から発生する騒音の外部への伝達を防止することができる。
【０１０６】
本実施形態においては、前記回転手段ケース１４３及び前記制御部材ハウジング１７８は、両方とも、前記パーマロイ材質を適用したものと説明したが、これは単に例示に過ぎないものであり、前記回転手段ケース１４３及び前記制御部材ハウジング１７８のいずれか一方にのみ前記パーマロイを適用して電磁波を遮断できることは言うまでもない。
【０１０７】
また、本実施形態においては、前記回転部材１４０及び前記制御部材１７６は、両方とも、前記回転手段用騒音防止体１４２と前記ハウジング用騒音防止体１７９とを備えたものと説明したが、これは単に例示に過ぎないものであり、前記回転手段ケース１４３及び前記制御部材ハウジング１７８の少なくともいずれか一方にのみその内部に騒音防止体１４２、１６９を備え、前記回転手段１４１または前記制御部１７７から発生する騒音の外部への伝達を防止することができる。
【０１０８】
以下では、前記ヘアドライヤー１００の動作について簡単に説明する。
【０１０９】
まず、前記使用者は、前記ヘアドライヤー１００の前記電源ケーブル１０を外部の電源と連結して、前記ヘアドライヤー１００に外部の電源を印加する。
【０１１０】
その後、前記回転手段部材１４０が回転し、同時に前記回転手段部材１４０の回転軸と連結された前記空気流動部材１２０が回転するにつれて、外部の前記空気が前記ヘアドライヤー１００の内部に引き込まれる。
【０１１１】
このとき、外部の前記空気が引き込まれるときに、外部に存在する異物は前記異物防止体１０２によってろ過され、前記空気のみが引き込まれる。
【０１１２】
その後、引き込まれた前記空気は、前記風案内部材１６０の前記引込高面部１６２から前記吐出底面部１６３に案内されながら加速されて前記風となり、前記空気流動部材１２０と前記引込高面部１６２との間に形成される空間において、前記空気流動部材１２０と前記吐出底面部１６３との間に形成される空間が徐々に大きくなり、その空間で回転しつつ加速されて前記風となり、前記風が前記引込高面部１６２から前記吐出底面部１６３に行くほど徐々に集まって風量が増加し、最終的に前記吐出底面部１６３では、前記風量が最大になった状態で外部に排出される。
【０１１３】
その後、前記吐出底面部１６３から排出された前記風は、前記ハウジング部材１１１、１１５の内部に沿って流動しつつ前記排出口１８２、１８４に移動され、前記風が、前記排出口１８２、１８４と連結された前記フード部材１０１の形状に応じて前記毛髪の一定箇所に集中して向けられて前記毛髪を乾かすことができる。
【０１１４】
このとき、前記使用者が前記機能選択部材１７３を用いて高温を選択すると、前記風が流動する経路に設けられた前記加熱部材１５０の前記電気発熱体１５１が発熱し、前記上部放熱体１４５及び前記下部放熱体１５５により熱が放出され、前記風に前記熱が伝わり、前記熱風が放出される。
【０１１５】
また、前記使用者が、前記機能選択部材１７３を用いて前記温度調整選択手段、前記時間設定選択手段及び前記風力調整選択手段のうち少なくともいずれか１つを選択すると、前記制御部材１７６がその選択に基づいて制御することにより、前記ヘアドライヤー１００は、前記制御部材１７６の制御に基づいて動作する。
【０１１６】
前述したように、前記ヘアドライヤー１００は、前記ハウジング部材１１１、１１５と、前記空気流動部材１２０と、前記風案内部材１６０と、前記回転手段部材１４０とを備え、外部から引き込まれた前記空気が、分散されずに集中して前記風案内部材１６０により所定の方向に案内されながら前記加速風となり、その後、前記排出口１８２、１８４を介して外部に排出されることにより、前記ヘアドライヤー１００の前記風力及び風量性能が改善されて、短時間で毛髪を乾燥させることができる。
【０１１７】
また、前記ヘアドライヤー１００に適用される前記加熱部材１５０は、前記電気発熱体１５１と、前記上部放熱体１４５と、前記下部放熱体１５５と、前記加熱部材連結部１５２とを備え、前記電気発熱体１５１を、前記上部放熱体１４５と前記下部放熱体１５５と前記加熱部材連結部１５２とにより形成された内部空間に配置することにより、前記電気発熱体１５１からの微細粉塵の発生及び電磁波の放出を遮断することができる。
【発明を実施するための形態】
【０１１８】
以下では、図面を参照して、本発明の他の実施形態に係るヘアドライヤーについて説明する。以下の説明においては、上述した本発明の第１実施形態で既に説明した内容と重複する説明は避け、ここでは省略することにする。
【０１１９】
図１１は、本発明の第２実施形態に係るヘアドライヤーを構成する突起フード部材を示す正面図であり、図１２は、本発明の第２実施形態に係るヘアドライヤーを構成する突起フード部材を下から上へ見た斜視図である。
【０１２０】
図１１及び図１２に示すように、本実施形態に係るヘアドライヤーは、突起フード部材２０１を備え、前記突起フード部材２０１は、突起フードボディ２０２と、突起フードカバー２０３と、第１ヘアピン２０４と、第２ヘアピン２０５とを備えている。
【０１２１】
前記突起フードボディ２０２は、排出口の先端部に取り付けられ、その内部が貫通してハウジング部材の内部と連通している。
【０１２２】
前記突起フードボディ２０２は、図１１に示すように、下部から上部へ向けて前記ヘアドライヤーを適用する人体の一部、例えば、ヒトのウェーブヘアスタイルと対応するように形成されることで、前記突起フード部材２０１は、前記ヘアスタイル（髪型）に応じてウェーブの部分まで近接することができ、それによって前記毛髪を広い範囲で乾燥させることができる。
【０１２３】
前記突起フードカバー２０３は、前記突起フードボディ２０２の前面を覆い、複数のホールが互いに離間して形成された風排出ホール２０６を備えている。
【０１２４】
前記風排出ホール２０６は、前記突起フードカバー２０３において「Ｖ」字状を有し、互いに離間して複数形成される。これにより、前記突起フード部材２０１の下部では、前記毛髪を集中して乾燥させることができ、前記突起フード部材２０１の上部では、比較的広い範囲の毛髪を乾燥させることができる。
【０１２５】
前記第１ヘアピン２０４は、前記突起フードカバー２０３の前面に、前記フードカバー２０３の前面と垂直方向に沿って所定の長さだけ形成される。
【０１２６】
前記第２ヘアピン２０５は、前記突起フードカバー２０３の前面に、前記突起フードカバー２０３の前面と垂直方向に沿って所定の長さだけ形成され、前記第１ヘアピン２０４に比べてその長さが相対的に短い。
【０１２７】
前述したように前記第１ヘアピン２０４が、前記ヘアドライヤーを適用する前記人体の一部と接触することにより、前記人体の一部と前記突起フードカバー２０３との間が所定の間隔で離間することができ、前記第２ヘアピン２０５を用いて、前記人体の一部に形成された前記毛髪を梳かすことができる。
【０１２８】
また、前記毛髪を乾燥させる間、前記第１ヘアピン２０４を用いて前記人体の一部である頭皮を軽く打つことにより、前記頭皮にマッサージ効果をも与えることができる。
【０１２９】
図１３は、本発明の第３の実施形態に係るヘアドライヤーを構成するフックフード部材を示す正面図であり、図１４は、本発明の第３の実施形態に係るヘアドライヤーを構成するフックフード部材を下から上へ見た斜視図である。
【０１３０】
図１３及び図１４に示すように、本実施形態に係るヘアドライヤーは、フックフード部材３０１を備え、前記フックフード部材３０１は、フックフードボディ３０２と、上部バー３０３と、上部フック３０４と、下部バー３０５と、下部フック３０６とを備えている。
【０１３１】
前記フックフードボディ３０２は、排出口の先端部に取り付けられ、その内部が貫通してハウジング部材の内部と連通している。
【０１３２】
前記上部バー３０３は、前記フックフードボディ３０２の前面の一部に所定の長さだけ形成され、一方の方向に傾斜しており、前記上部フック３０４は、前記上部バー３０３に比べてその角度が相対的に大きな傾斜を有するように、前記上部バー３０３の外郭先端から一方の方向に曲げられている。
【０１３３】
前記下部バー３０５は、前記フックフードボディ３０２の前面のうち前記上部バー３０３と離間した箇所に所定の長さだけ形成され、前記上部バー３０３の傾斜方向と反対方向に傾斜しており、前記下部フック３０６は、前記下部バー３０５の外郭先端から傾斜しており、前記上部フック３０４と同じ方向に曲げられている。
【０１３４】
前記上部バー３０３の長さが、前記下部バー３０５の長さに比べて相対的に長いので、前記フックフードボディ３０２は、前記ヘアドライヤーを適用する人体の一部、例えば、ヘアスタイル（髪型）に応じてウェーブの部分まで近接することができ、それによって前記毛髪を効率よく梳かすことができる。
【０１３５】
前記上部フック３０４及び前記下部フック３０６は、同じ方向に曲げられているが、両方とも、毛髪が自重により垂れ下がる方向と反対方向に形成されているので、前記毛髪を梳かすとき、前記フックフード部材３０１が前記毛髪および頭部の表面に引っ掛かることを防止することができる。
【０１３６】
前述したように構成すると、前記フックフード部材３０１は、前記上部バー３０３及び前記下部バー３０５により、前記ヘアドライヤーを適用する人体の一部に形成された毛髪を梳かすことができ、前記上部フック３０４及び前記下部フック３０６に、前記毛髪の一部が引っ掛かり、前記毛髪が所定高さの上空へ持ち上げられることにより、前記毛髪のもつれが防止されるように梳かすとともに、前記毛髪と前記人体の一部及び前記毛髪が形成された部分のうち少なくともいずれか１つを乾燥させることができる。
【０１３７】
また、前記上部フック３０４及び前記下部フック３０６を用いて前記毛髪の所定部分を持ち上げた状態で、前記毛髪を乾かすことにより、様々なヘアスタイルを演出することもできる。
【０１３８】
図１５は、本発明の第４の実施形態に係るヘアドライヤーを構成する回転手段部材のうちの騒音遮断部材を正面から見た部分断面図である。
【０１３９】
図１５に示すように、本実施形態に係るヘアドライヤーを構成する風案内部材４６０は、前記風案内部材４６０の下部に環状に形成された第１突部４４６を備え、回転手段部材４４０は、前記回転手段部材４４０の外郭に環状に形成され、前記突部に対応するようになっている第２突部４４８を備え、前記第１突部４４６と前記第２突部４４８との間に配置され、前記回転手段の動作に応じて弾性力の蓄積または復元が繰り返される弾性部材４４７が形成される。
【０１４０】
前記第１突部４４６は、前記風案内部材４６０にねじ組立または溶接などで連結することができ、前記第２突部４４８は、前記回転手段部材４４０の外郭にネジ組立または溶接などで連結することができる。
【０１４１】
前記弾性部材４４７としてはスプリングなどが挙げられ、複数の前記弾性部材４４７において前記回転手段部材４４０の振動を同時に減衰させることができるように、前記弾性部材４４７は、前記第１突部４４６と前記第２突部４４８との間に互いに離間して複数設けられることが好ましい。
【０１４２】
前記ヘアドライヤーが前記第１突部４４６と前記第２突部４４８と前記弾性部材４４７とを備えることにより、前記回転手段の動作により発生する振動及び騒音が前記弾性部材４４７の弾性力によって消滅することにより、前記回転手段の振動及び騒音が前記風案内部材４６０に伝わることを防止することができる。
【０１４３】
また、本実施形態においては、前記風案内部材４６０と前記第１ヅントクとの間に防振パッド４４９をさらに備え、前記回転手段部材４４０の振動が前記風案内部材４６０に伝わることを二重に防止することができる。
【０１４４】
以上、本発明の特定の実施形態について図示し説明したが、当業界で通常の知識を有する者であれば、以下の特許請求の範囲に記載された本発明の思想及び範囲から逸脱しない範囲内で、本発明を様々に修正及び変更できることが分かるであろう。しかしながら、これらの変更および変形構造は全て本発明の権利範囲内に含まれるものであることを明らかにする。
【産業上の利用可能性】
【０１４５】
本発明の一側面によるヘアドライヤー及びそれに適用される電磁波遮断加熱部材によれば、風案内部が空気を回転流動させながら同時に速度を増加させることにより、前記ヘアドライヤーの風力性能が改善され、短時間で毛髪を乾燥させることができ、上部放熱体、下部放熱体、加熱部材連結部によって取り囲まれた電気発熱体からの電磁波の放出を遮断することができるので、その産業上の利用可能性が高いといえる。
【図１】
0006882486.tif 000002
【図２】
0006882486.tif 000003
【図３】
0006882486.tif 000004
【図４】
0006882486.tif 000005
【図５】
0006882486.tif 000006
【図６】
0006882486.tif 000007
【図７】
0006882486.tif 000008
【図８】
0006882486.tif 000009
【図９】
0006882486.tif 000010
【図１０】
0006882486.tif 000011
【図１１】
0006882486.tif 000012
【図１２】
0006882486.tif 000013
【図１３】
0006882486.tif 000014
【図１４】
0006882486.tif 000015
【図１５】
0006882486.tif 000016
【図１６】
0006882486.tif 000017